(57)【要約】【課題】  センター局の負担を増やさずに、ユーザ間の通信を可能にする。【解決手段】  センター局の局光終端装置（ＯＬＴ）１０は、外部ネットワークに接続すると共に、光ファイバ１２を介して光カップラ１６に接続する。光ファイバ１２上、又は光ファイバ１２と光カップラ１６の接続点に、波長λ３を反射し、波長λ１，λ２を透過する反射器１４を配置する。波長λ１を下り信号光に、波長λ２を上り信号光に、波長λ３をユーザ間通信信号光に使用する。光カップラ１６は、光ファイバ１８−１〜１８−ｎを介して各ユーザのＯＮＵ２０−１〜２０−ｎに接続する。【選択図】  図１
2006042252.tif 000002
【特許請求の範囲】
【請求項１】
下り信号光を出力する局光終端装置（１０）と、
上り信号光及びユーザ間通信信号光を出力する複数の加入者光終端装置（２０−１〜２０−ｎ）と、
当該局光終端装置（１０）に接続する局側光ファイバ（１２）と、
当該複数の加入者光終端装置のそれぞれに接続する複数の加入者側光ファイバ（１８−１〜１８−ｎ）と、
当該局側光ファイバ（１２）と当該複数の加入者側光ファイバ（１８−１〜１８−ｎ）とを光学的に接続する光カップラ（１６）と、
当該局側光ファイバ（１２）上、及び、当該局側光ファイバ（１２）と当該光カップラ（１６）との接続点上の一方に配置される反射器であって、当該ユーザ間通信信号光を反射し、且つ、当該上り信号光及び当該下り信号光を透過する反射器（１４）
とを具備することを特徴とする光伝送システム。
【請求項２】
当該ユーザ間通信信号光の波長（λ３）が、当該下り信号光の波長（λ１）及び当該上り信号光の波長（λ２）の何れとも異なることを特徴とする請求項１に記載の光伝送システム。
【請求項３】
当該下り信号光の波長（λ１）、当該上り信号光の波長（λ２）、及び当該ユーザ間通信信号光の波長（λ３）が互いに異なることを特徴とする請求項１に記載の光伝送システム。
【請求項４】
当該各加入者光終端装置は、ＣＳＭＡ／ＣＤ方式に基づき、当該ユーザ間通信信号光を出力することを特徴とする請求項１乃至３の何れか１項に記載の光伝送システム。
【請求項５】
請求項１に記載の構成からなる第１及び第２の光伝送システムと、
当該第１の光伝送システムの光カップラ（１６Ａ）と、当該第２の光伝送システムの光カップラ（１６Ｂ）との間に接続し、当該第１の光伝送システムから当該第２の光伝送システムにユーザ間通信信号光を転送する接続装置（５０）
とを具備することを特徴とする光ネットワーク。
【請求項６】
当該接続装置（５０）は、当該第２の光伝送システムから当該第１の光伝送システムにユーザ間通信信号光を転送する請求項５に記載の光ネットワーク。
【発明の詳細な説明】
【技術分野】
【０００１】
本発明は、複数の加入者を収容可能なパッシブ光ネットワーク（ＰＯＮシステム）のような光伝送システム及び、ＰＯＮシステムのような光伝送システムを複数、相互に接続した構成からなる光ネットワークに関し、より具体的には、加入者間で情報を相互に配信可能な光伝送システム及び光ネットワークに関する。
【背景技術】
【０００２】
従来、ＰＯＮシステムは、電話局に設置される局光終端装置ＯＬＴ（Optical Line Terminal）と、各加入者宅に設置される加入者光終端装置ＯＮＵ（Optical Network Unit）との間をパッシブ光デバイスで接続する構成からなる。例えば、ＰＯＮシステムの光伝送路は、ＯＬＴに接続する1本の光ファイバ（局側光ファイバ）と、各ユーザ宅のＯＮＵに接続する光ファイバ（加入者側光ファイバ）とを光カップラで接続する構成からなる。
【０００３】
ＰＯＮシステムでは、加入者からセンター局に向かう上り信号光と、センター局から加入者に向かう下り信号光には別の波長が割り当てられる。更に、放送型の情報配信のために下り通信用の波長とは別の波長を割り当てることで、テレビジョン放送に類した放送を可能にする構成も、知られている。
【０００４】
また、上り信号光の信号制御に、イーサネット（登録商標）で周知のＣＳＭＡ／ＣＤ方式を用いるものがある。これにより、同じＰＯＮシステムに接続する加入者同士で信号を送受信できる（例えば、非特許文献１参照）。
【非特許文献１】Chang-Joon Chae, et al., "Optical CSMA/CD Media Access Scheme for Ethernet Over Passive Optical Network," IEEE Photonics Technology Letters, Vol. 14, No. 5, May 2002, pp. 711-713
【発明の開示】
【発明が解決しようとする課題】
【０００５】
放送型の情報配信は、特定のユーザから別の特定のユーザに情報を配信する用途には適さない。
【０００６】
また、上り信号光を使ってユーザ間の通信を行う従来の方法では、センター局を経由する必要があるので、センター局内に、ユーザ間通信のための専用装置を設置する必要がある。
【０００７】
本発明は、より簡易な構成でユーザ間の通信又は情報交換を可能にする光伝送システム及び光ネットワークを提示することを目的とする。
【課題を解決するための手段】
【０００８】
本発明に係る光伝送システムは、下り信号光を出力する局終端装置と、上り信号光及びユーザ間通信信号光を出力する複数の加入者光終端装置と、当該局終端装置に接続する局側光ファイバと、当該複数の加入者光終端装置のそれぞれに接続する複数の加入者側光ファイバと、当該局側光ファイバと当該複数の加入者側光ファイバとを光学的に接続する光カップラと、当該局側光ファイバ上、及び、当該局側光ファイバと当該光カップラとの接続点上の一方に配置される反射器であって、当該ユーザ間通信信号光を反射し、且つ、当該上り信号光及び当該下り信号光を透過する反射器とを具備することを特徴とする。
【０００９】
本発明に係る光ネットワークは、上述の構成からなる第１及び第２の光伝送システムと、当該第１の光伝送システムの光カップラと、当該第２の光伝送システムの光カップラとの間に接続し、当該第１の光伝送システムから当該第２の光伝送システムにユーザ間通信信号光を転送する接続装置とを具備することを特徴とする光ネットワーク。
【発明の効果】
【００１０】
本発明によれば、局側終端装置に負担をかけずに、ユーザから別の１又は複数のユーザに信号を送信又は放送できる。即ち、簡易な構成で、任意のユーザ間での通信と放送を実現できる。
【発明を実施するための最良の形態】
【００１１】
以下、図面を参照して、本発明の実施例を詳細に説明する。
【実施例１】
【００１２】
図１は、本発明の第１実施例の概略構成ブロック図を示す。本実施例では、センター局から各ユーザへの下り信号光に波長λ１を、各ユーザからセンター局への上り信号光には波長λ２を、ユーザ間の通信に波長λ３を割り当てる。波長λ１，λ２，λ３は、互いに異なる。
【００１３】
センター局の局終端装置（ＯＬＴ）１０は、一方で外部ネットワーク、例えばインターネットに接続し、他方では、光ファイバ１２（局側光ファイバ）を介して光カップラ１６に接続する。光ファイバ１２上又は光ファイバ１２と光カップラ１６の接続点上に、波長λ３を反射し、波長λ１，λ２を透過する反射器１４を配置する。光カップラ１６は、光ファイバ１８−１〜１８−ｎ（加入者側光ファイバ）を介して各ユーザのＯＮＵ２０−１〜２０−ｎに接続する。
【００１４】
光カップラ１６は、センター局のＯＬＴ１０から出力される下り信号光をｎ個に分割して、各光ファイバ１８−１〜１８−ｎに供給する分波機能と、各ユーザから光ファイバ１８−１〜１８−ｎを介して入力する信号光（波長λ２の上り信号光と、波長λ３のユーザ間通信信号光）を反射器１４に出力する合波機能を具備する。このような機能を有する光カップラ１６は周知である。
【００１５】
各ユーザのＯＮＵ２０−１〜２０−ｎには、コンピュータ等の端末２２−１〜２２−ｎが接続する。各ユーザ宅内に１台の端末２２−１〜２２−ｎのみを図示してあるが、実際には、ＯＮＵ２０−１〜２０−ｎには宅内ＬＡＮを介して複数のコンピュータ及びビデオサーバ等を接続可能である。これら複数のデータ処理装置をまとめて、端末２２−１〜２２−ｎとして図示してある。
【００１６】
下り信号光の伝搬形態を説明する。センター局１０から出力される下り信号光は、光ファイバ１２及び反射器１４を透過して光カップラ１６に入射する。光カップラ１６は、入射した下り信号光をｎ分割し、各分割成分光を光ファイバ１８−１〜１８−ｎに出力する。これにより、センター局のＯＬＴ１０から出力される下り信号光が各ユーザのＯＮＵ２０−１〜２０−ｎに入射する。詳細は、後述するが、各ＯＮＵ２０−１〜２０−ｎは、入射した下り信号光を電気信号に変換し、その電気信号から自己宛の下り信号か否かを判断し、自己宛であれば、下り信号を取り込み、自己宛でなければその下り信号を破棄する。
【００１７】
上り信号光の伝搬形態を説明する。各ＯＮＵ２０−１〜２０−ｎは、接続する端末２２−１〜２２−ｎからの上り信号を波長λ２の光信号、即ち上り信号光に変換し、センター局から割当てられたタイミングで光ファイバ１８−１〜１８−ｎに出力する。光ファイバ１８−１〜１８−ｎを伝搬した上り信号光は、光カップラ１６に入射する。光カップラ１６は、各光ファイバ１８−１〜１８−ｎからの上り信号光を反射器１４に出力する。反射器１４は波長λ２の上り信号光を透過する。従って、各ユーザからの上り信号光は、反射器１４を透過し、光ファイバ１２を伝搬してセンター局のＯＬＴ１０に入射する。ＯＬＴ１０は、上り信号光の宛先が外部ネットワークの場合、外部ネットワークと接続する伝送媒体に応じた信号形態に上り信号光を変換して、外部ネットワークに出力する。
【００１８】
ユーザ間通信信号光の伝搬経路を説明する。例えば、ユーザ１が他のユーザ、例えばユーザｎにデータを送る場合を想定する。端末２２−１がユーザｎに向けたデータをＯＮＵ２０−１に出力する。ＯＮＵ２０−１は、端末２２−１からのデータを波長λ３のユーザ間通信信号光に変換して、光ファイバ１８−１に出力する。このユーザ間通信信号光は、光ファイバ１８−１及び光カップラ１６を介して反射器１４に入射する。反射器１４は、波長λ３のユーザ間通信信号光を反射するように設定されているので、反射器１４に入射したユーザ間通信信号光は、反射器１４により反射されて光カップラ１６に再入射する。
【００１９】
光カップラ１６は、再入射したユーザ間通信信号光をｎ個に分割し、各分割光成分を光ファイバ１８−１〜１８−ｎに出力する。これにより、ユーザ１から出力されたユーザ間通信信号光は、ユーザ１のＯＮＵ２０−１に戻ると共に、残るユーザ２〜ｎのＯＮＵ２２−２〜２２−ｎにも入射する。各ＯＮＵ２２−１〜２２−ｎは、入射した波長λ３のユーザ間通信信号光を電気信号に変換し、その電気信号から自己宛のユーザ間通信信号か否かを判断し、自己宛であれば、そのユーザ間通信信号を取り込み、自己宛でなければそのユーザ間通信信号を破棄する。このようにして、ユーザ１からユーザｎに宛てて出力されたユーザ間通信信号が、ユーザｎのＯＮＵ２２−ｎに届く。
【００２０】
複数のユーザが同時にユーザ間通信信号光を出力する場合、混信する。しかし、このような混信は、イーサネット（登録商標）で採用されるＣＳＭＡ／ＣＤ方式を導入することで、回避できる。ＣＳＭＡ／ＣＤ方式の代わりに、上り信号光の送信用に各ＯＰＮＵ２０−１〜２０−ｎにセンター局のＯＬＴ１０により割り当てられたタイムスロットにユーザ間通信用信号光を出力するようしてもよい。こうすれば、複数のＯＮＵ２０−１〜２０−ｎが同時に、ユーザ間通信信号光を光ファイバ１８−１〜１８−ｎに出力することは無くなる。
【００２１】
図２は、ＯＮＵ２０−１の概略構成ブロック図を示す。他のＯＮＵ２０−２〜２０−ｎの構成も、ＯＮＵ２０−１の構成と同じである。ＯＮＵ２０−１は、受信した波長λ１の下り信号光を電気信号に変換するフォトダイオードからなる受光器３０、波長λ２の上り信号光を出力するレーザダイオード３２、波長λ３のユーザ間通信信号光を発生するレーザダイオード３４、受信した波長λ３のユーザ間通信信号光を電気信号に変換するフォトダイオードからなる受光器３６を具備する。ＯＮＵ２０−１は更に、ＷＤＭカップラ３８，４０、光サーキュレータ４２、信号処理回路４４を具備する。ＷＤＭカップラ３８，４０及び光サーキュレータ４２は、レーザダイオード３２，３４の出力信号光を光ファイバ１８−１に出射し、光ファイバ１８−１からの下り信号光及びユーザ間通信信号光をそれぞれ受光器３０，３６に供給する光分配器として機能する。信号処理回路４４は、受光器３０、レーザダイオード３２，３４及び受光器３６と、端末２２−１との間に配置され、これらの間で電気信号をやり取りする。
【００２２】
波長λ１の下り信号光及び波長λ３のユーザ間通信信号光は、光ファイバ１８−１からＷＤＭカップラ３８に入射する。ＷＤＭ光カップラ３８は、波長λ１の下り信号光をＷＤＭ光カップラ４０に供給し、波長λ３のユーザ間通信信号光を光サーキュレータ４２のポートＢに入射する。ＷＤＭ光カップラ４０は、ＷＤＭ光カップラ３８からの波長λ１の下り信号光を受光器３０に供給する。受光器３０は入射する下り信号光を電気信号に変換して、信号処理回路４４に印加する。信号処理回路４４は、受光器３０からの電気下り信号が自己宛であれば、その電気下り信号を端末２２−１に供給し、他ユーザ宛であれば破棄する。
【００２３】
光サーキュレータ４２は、ポートＡの入力光をポートＢから出力し、ポートＢの入力光をポートＣから出力する公知の光デバイスである。光サーキュレータ４２は、ＷＤＭ光カップラ３８からの波長λ３のユーザ間通信信号光をポートＣから受光器３６に出力する。受光器３６は、入射するユーザ間通信信号光を電気信号に変換して、信号処理回路４４に印加する。信号処理回路４４は、受光器３６からの電気ユーザ間通信信号が自己宛であれば、その電気ユーザ間通信信号を端末２２−１に供給し、他ユーザ宛であれば破棄する。
【００２４】
端末２２−１は、センター局に向けた上り信号を信号処理回路４４に供給する。信号処理回路４４は、その電気上り信号をレーザダイオード３２に印加する。レーザダイオード３２は、信号処理回路４４からの電気上り信号を光信号に変換し、波長λ２の上り信号光をＷＤＭ光カップラ４０に出力する。ＷＤＭ光カップラ４０は、レーザダイオード３２からの波長λ２の上り信号光をＷＤＭ光カップラ３８に供給し、ＷＤＭ光カップラ３８は、ＷＤＭ光カップラ４０からの波長λ２の上り信号光を光ファイバ１８−１に出力する。このようにして、ＯＮＵ２０−１は、波長λ２の上り信号光を光ファイバ１８−１に出力する。
【００２５】
また、端末２２−１は、他の１又は複数のユーザに向けた電気ユーザ間通信信号を信号処理回路４４に供給する。信号処理回路４４は、その電気ユーザ間通信信号をレーザダイオード３４に印加する。レーザダイオード３４は、信号処理回路４４からの電気ユーザ間通信信号を光信号に変換し、波長λ３のユーザ間通信信号光を光サーキュレータ４２のポートＡに出力する。光サーキュレータ４２は、ポートＡに入力するユーザ間通信信号光をポートＢからＷＤＭ光カップラ３８に出力する。ＷＤＭ光カップラ３８は、光サーキュレータ４２のポートＢからの波長λ３のユーザ間通信信号光を光りファイバ１８−１に出力する。このようにして、ＯＮＵ２０−１は、他の１又は複数のユーザに宛てた波長λ３のユーザ間通信信号光を光ファイバ１８−１に出力する。
【００２６】
波長λ１，λ２，λ３の信号光を合波及び分波する、ＷＤＭ光カップラ３８，４０及び光サーキュレータ４２からなる光分配装置の構成は、一例であり、種々の光デバイスを組み合わせて使用することで、同様の機能の光合分波器を実現できることはいうまでもない。
【００２７】
同じＰＯＮシステムに接続するユーザ間でやり取りされる情報としては、例えば、気象情報、監視カメラ等の映像情報及び事務連絡等の、限られた地域内で共有すると便利な情報があり、他には、ＯＮＵ２０−１〜２０−ｎ間の同期情報等がある。従来、センター局のＯＬＴ１０が各ＯＮＵ２０−１〜２０−ｎを制御することで、各ＯＮＵ２０−１〜２０−ｎを同期動作させていた。しかし、この方法では、ユーザ数が増すと、センター局のＯＬＴ１０の負担が増し、下り信号光を同期制御用にも使用することになる。これに対し、本実施例のユーザ間通信信号光を利用して各ＯＮＵ２０−１〜２０−ｎを同期させるようにすれば、ＯＬＴ１０は、単一のＯＮＵ、例えば、ＯＮＵ２０−１を同期制御し、ＯＮＵ２０−１が他のＯＮＵ２０−２〜２０−ｎに同期制御のための信号を送信すれば済む。これにより、ＯＬＴ１０の負担が減り、下り信号光の多くを同期制御用に利用しなくて済む。
【００２８】
ユーザ間通信信号を使ってユーザ間で通信される情報を更に、上り信号光を使ってセンター局に、従って、外部ネットワークに接続する外部のサーバ、端末等に送信することも可能である。更には、特定のユーザが下り信号光で受信した情報を、ユーザ間通信信号光を使って同じＰＯＮシステムに加入する別の１又は複数のユーザに配信、例えば放送することができる。これは、下り信号光を受信するユーザの端末が、他の１又は複数のユーザにデータを放送する放送サーバとして機能するとも言える。この放送にはセンター局のＯＬＴ１０は関与しない。従って、ＯＬＴが希望するユーザに下り信号光を使って放送する従来構成に比べ、ＯＬＴ１０の負担を大幅に軽減できる。
【００２９】
ユーザ間通信信号光は、また、各加入者端末同士で機器状況を確認する用途にも利用可能である。この場合、信号処理回路４４は、他のＯＮＵからの問合せに対して、波長λ３のユーザ間通信信号光を使って、返答する。問合せを出したＯＮＵは、返答が無ければ、問合せ先のＯＮＵが故障であると判断し、その旨をセンター局のＯＬＴ１０に、波長λ２の上り信号光を使って通知する。どのＯＮＵが他のＯＮＵの動作状況を確認するかは、例えば、電源投入順又は立候補順等により何れかのＯＮＵから任意に決定すれば良い。これにより、ＯＬＴ１０の負担を減らつつ、ＯＮＵ２０−１〜２０−ｎの動作状況を効率的に管理できるようになる。
【００３０】
図３は、２つののＰＯＮシステムＡ，Ｂ間を波長λ３のユーザ間通信信号光で連結する実施例の概略構成ブロック図を示す。
【００３１】
ＰＯＮシステムＡは、図１に示す構成と実質的に同じ構成からなり、図１に示す実施例と対応する構成要素には、同じ符号にＡを付記してある。また、ＰＯＮシステムＢもまた、図１に示す構成と実質的に同じ構成からなり、図１に示す実施例と対応する構成要素には、同じ符号にＢを付記してある。
【００３２】
接続装置５０は、ＰＯＮシステムＡ，Ｂ間で波長λ３のユーザ間通信信号光を双方向に転送する機能を具備する。接続装置５０は、光ファイバ５２を介して光カップラ１６Ａに接続し、光ファイバ５４を介して光カップラ１６Ｂに接続する。図４は、接続装置５０の概略構成ブロック図を示す。
【００３３】
この構成では、ユーザ間通信に限っては、ＰＯＮシステムＡ，Ｂが接続装置５０により一つの光伝送システムに統合された形になる。例えば、ＰＯＮシステムＡのユーザ、例えばユーザＡ１が、波長λ３のユーザ間通信信号光を使って、ＰＯＮシステムＡ，Ｂの全ユーザＡ１〜Ａｎ，Ｂ１〜Ｂｍ、若しくは、それらの内の１又は複数のユーザにデータを送信することができる。
【００３４】
ユーザＡ１がＰＯＮシステムＢのユーザＢｍにデータを送信する場合の信号の流れを説明する。ＯＮＵ２０Ａ−１が、ユーザＢｍに向けた波長λ３のユーザ間通信信号光を光ファイバ１８Ａ−１に出力する。このユーザ間通信信号光は、光ファイバ１８Ａ−１及び光カップラ１６Ａを介して反射器１４に入射し、ここで反射され、光カップラ１６Ａで分波されて、ＯＮＵ２０Ａ−１〜２０Ａ−ｎ及び接続装置５０に入射する。
【００３５】
接続装置５０は、光カップラ１６Ａから光ファイバ５２を介して入射する波長λ３のユーザ間通信信号光を、光ファイバ５４を介して光カップラ１６Ｂに転送する。この転送動作の詳細は，後述する。
【００３６】
接続装置５０から光カップラ１６Ｂに供給された波長λ３のユーザ間通信信号光は、反射器１４Ｂに印加され、ここで反射されて、光カップラ１６Ｂに再入射する。光カップラ１６Ｂは、反射器１４Ｂで反射された波長λ３のユーザ間通信信号光を（ｍ＋１）分割し、それぞれを光ファイバ５４，１８Ｂ−１〜１８Ｂ−ｍに出力する。これにより、ＯＮＵ２０Ａ−１の出力するユーザ間通信信号光が、ＯＮＵ２０Ｂ−ｍに入力する。ＯＮＵ２０Ｂ−１は、入射するユーザ間通信信号光を電気信号に変換して、端末２２Ｂ−ｍに供給する。このようにして、ユーザＡ１からユーザＢｍにデータを送信できる。同様に、ＰＯＮシステムＡ，Ｂの全ユーザＡ１〜Ａｎ，Ｂ１〜Ｂｍの内の任意のユーザ間でデータを送信でき、あるユーザから残る全ユーザにデータを放送することもできる。
【００３７】
図４は、接続装置５０の概略構成ブロック図を示す。図４に示す構成では、接続装置５０は、波長λ１の下り信号の受信機能及び波長λ２の上り信号の送信機能を具備し、これらの信号光を使って、ＰＯＮシステムＡ，Ｂのセンター局のＯＬＴ１０Ａ，１０Ｂと通信することができる。
【００３８】
先ず、波長λ３のユーザ間通信信号光の転送機能を説明する。ＰＯＮシステムＡからの波長λ３のユーザ間通信信号光は、光ファイバ５２を介してＷＤＭ光カップラ６０に入力する。ＷＤＭ光カップラ６０は、このユーザ間通信信号光を光サーキュレータ６２のポートＢに供給する。光サーキュレータ６２は、ポートＢに入力するユーザ間通信信号光をポートＣから光アンプ６４に出力する。光アンプ６４は、入力するユーザ間通信信号光を光増幅する。光アンプ６４から出力されるユーザ間通信信号光は、光サーキュレータ６８のポートＡに入力し、ポートＢからＷＤＭ光カップラ７０に印加される。ＷＤＭ光カップラ７０は、光サーキュレータ６８のポートＢからの波長λ３のユーザ間通信信号光を光ファイバ５４に出力する。このようにして、ＰＯＮシステムＡからＰＯＮシステムＢにユーザ間通信信号光が転送される。
【００３９】
ＰＯＮシステムＢからの波長λ３のユーザ間通信信号光は、光ファイバ５４を介してＷＤＭ光カップラ７０に入力する。ＷＤＭ光カップラ７０は、このユーザ間通信信号光を光サーキュレータ６８のポートＢに供給する。光サーキュレータ６８は、ポートＢに入力するユーザ間通信信号光をポートＣから光アンプ６６に出力する。光アンプ６６は、入力するユーザ間通信信号光を光増幅する。光アンプ６６から出力されるユーザ間通信信号光は、光サーキュレータ６２のポートＡに入力し、ポートＢからＷＤＭ光カップラ６０に印加される。ＷＤＭ光カップラ６０は、光サーキュレータ６２のポートＢからの波長λ３のユーザ間通信信号光を光ファイバ５２に出力する。このようにして、ＰＯＮシステムＢからＰＯＮシステムＡにユーザ間通信信号光が転送される。
【００４０】
ＷＤＭ光カップラ６０は、光ファイバ５２からの波長λ１の下り信号光をＯＮＵ７２に供給し、ＯＮＵ７２から出力される波長λ２の上り信号光を光ファイバ５２に出力する。同様に、ＷＤＭ光カップラ７０は、光ファイバ５４からの波長λ１の下り信号光をＯＮＵ７４に供給し、ＯＮＵ７４から出力される波長λ２の上り信号光を光ファイバ５４に出力する。ＯＮＵ７２，７４の間にネットワーク間接続回路７６を接続してあり、ネットワーク間接続回路７６は、ＯＮＵ７２からの信号をＯＮＵ７４に、また、ＯＮＵ７４からの信号をＯＮＵ７２に転送することができる。これにより、ＰＯＮシステムＡ，Ｂのセンター局のＯＬＴ１０Ａ，１０Ｂは、波長λ１の下り信号及び波長λ２の上り信号を使って、通信することができる。
【００４１】
波長λ３のユーザ間通信信号光の転送機能のみが必要な場合、ＯＮＵ７２，７４及びネットワーク間接続回路７６は不要になり、ＷＤＭ光カップラ６０，７０の代わりに、波長λ３を選択的に透過する光フィルタを配置すれば良い。接続装置５０の、ユーザ間通信信号光を双方向に転送の構成例を説明したが、片方向の転送機能のみであってもよい。
【００４２】
光アンプ６４，６６の代わりに、一旦、電気信号に変換し、増幅してから再度、光信号に変換しても良い。電気段で、波形整形及び誤り訂正等の信号処理を行なっても良い。
【００４３】
図３では、２つのＰＯＮシステムＡ，Ｂを接続装置５０で接続する構成を例示したが、３つ以上のＰＯＮシステムの間でも同様に、波長λ３のユーザ間通信信号光を流通させることができることは明らかである。隣接する２つのＰＯＮシステムの間に波長λ３のユーザ間通信信号光を双方向に転送できる、接続装置５０と同様の構成の接続装置を配置すればい。
【００４４】
特定の説明用の実施例を参照して本発明を説明したが、特許請求の範囲に規定される本発明の技術的範囲を逸脱しないで、上述の実施例に種々の変更・修整を施しうることは、本発明の属する技術分野の技術者にとって自明であり、このような変更・修整も本発明の技術的範囲に含まれる。
【図面の簡単な説明】
【００４５】
【図１】本発明の一実施例の概略構成ブロック図である。
【図２】ＯＮＵ２０−１の概略構成ブロック図である。
【図３】本発明の第２実施例の概略構成ブロック図である。
【図４】接続装置５０の概略構成ブロック図である。
【符号の説明】
【００４６】
１０：局光終端装置（ＯＬＴ）
１２：光ファイバ
１４：反射器
１６：光カップラ
１８−１〜１８−ｎ：光ファイバ
２０−１〜２０−ｎ：加入者光終端装置（ＯＮＵ）
２２−１〜２２−ｎ：端末
３０：受光器
３２：レーザダイオード
３４：レーザダイオード
３６：受光器
３８，４０：ＷＤＭカップラ
４２：光サーキュレータ
４４：信号処理回路
１０Ａ，１０Ｂ：局光終端装置（ＯＬＴ）
１２Ａ，１２Ｂ：光ファイバ
１４Ａ，１４Ｂ：反射器
１６Ａ，１６Ｂ：光カップラ
１８Ａ−１〜１８Ａ−ｎ，１８Ｂ−１〜１８Ｂ−ｍ：光ファイバ
２０Ａ−１〜２０Ａ−ｎ，２０Ｂ−１〜２０Ｂ−ｍ：加入者光終端装置（ＯＮＵ）
２２Ａ−１〜２２Ａ−ｎ，２２Ｂ−１〜２２Ｂ−ｍ：端末
５０：接続装置
５２，５４：光ファイバ
６０：ＷＤＭ光カップラ
６２：光サーキュレータ
６４，６６：光アンプ
６８：光サーキュレータ
７０：ＷＤＭ光カップラ
７２，７４：ＯＮＵ
７６：ネットワーク間接続回路
【図１】
2006042252.tif 000003
【図２】
2006042252.tif 000004
【図３】
2006042252.tif 000005
【図４】
2006042252.tif 000006